(57)【特許請求の範囲】
【請求項１】
入力された映像信号に基づく画像に対して、映像信号の振幅の増幅度合いを規定することによりコントラスト比制御処理を施して表示する表示装置において、
前記画像処理状態に関する第１及び第２の設定値をそれぞれ記憶する記憶部と、
表示される画面の任意の範囲を指定する制御信号を検出する制御信号検出部と、
該制御信号検出部が検出した制御信号で示される範囲の画像に対して前記記憶部に記憶された第１の設定値による前記コントラスト比制御処理を施し、前記制御信号で示される範囲外の画像に対して前記記憶部に記憶された第２の設定値による前記コントラスト比制御処理を施すよう制御する画像制御部と
を備え、
前記記憶部に記憶された第２の設定値は、ユーザ操作に応じた調整値の増加にほぼ比例して増加する設定値とされ、
前記記憶部に記憶された第１の設定値は、ユーザ操作に応じた調整値の増加にほぼ比例して増加する設定値であって、前記比例の割合が前記第２の設定値の比例の割合よりも小さいとされるとともに、前記第２の設定値よりも常に大きく、かつ前記ユーザ操作に応じた調整値が小さいときに前記第２の設定値よりも十分大きいとされる
ことを特徴とする表示装置。
【請求項２】
請求項１記載の表示装置において、
前記第１の設定値は、前記調整値の増加に応じて前記設定値が増加する割合を設定可能とされることを特徴とする表示装置。
【請求項３】
請求項１記載の表示装置において、
前記制御信号は、所定のパターンを組み合わせ、前記入力された映像信号に重畳されるマーカー信号であって、
該マーカー信号は、前記表示される画面の任意の範囲を指定する枠の少なくとも２隅に配置されることを特徴とする表示装置。
【請求項４】
入力された映像信号に基づく画像に対して、映像信号の振幅の増幅度合いを規定することによりコントラスト比制御処理を施す画像処理方法であって、
前記コントラスト比制御処理状態に関して、ユーザ操作に応じた調整値の増加にほぼ比例して増加する設定値とされる第２の設定値、およびユーザ操作に応じた調整値の増加にほぼ比例して増加する設定値であって、前記比例の割合が前記第２の設定値の比例の割合よりも小さいとされるとともに、前記第２の設定値よりも常に大きく、かつ前記ユーザ操作に応じた調整値が小さいときに前記第２の設定値よりも十分大きいとされる第１の設定値をそれぞれ記憶し、
表示される画面の任意の範囲を指定する制御信号を検出し、
前記制御信号で示される範囲の画像に対して前記第１の設定値による前記コントラスト比制御処理を施し、
前記制御信号で示される範囲外の画像に対して前記第２の設定値によるコントラスト比制御処理を施す
ことを特徴とする画像処理方法。
【発明の詳細な説明】
【０００１】
【発明の属する技術分野】
本発明は、例えばコンピュータ機器用のディスプレイ装置に適用して好適な表示装置及び画像処理方法に関し、特に静止画像，動画像などと文字情報などを同時に表示させるように、異なる形態の映像を１つの画面上に同時に表示させる場合に好適な技術に関する。
【０００２】
【従来の技術】
例えばコンピュータの出力を表示するためのモニタディスプレイ装置においては、従来はコンピュータから出力される文書や表計算等の文字や数字等の情報を表示することが主な目的であった。このためコンピュータから例えば「１／０」の２値信号で供給される画像信号を、適当な輝度レベルで表示することが一般的なモニタディスプレイ装置の使い方であった。
【０００３】
これに対して近年マルチメディアと称されるコンピュータにおいては、上述の文字や数字等の情報だけでなく、写真や動画等の画像を取り込んで、この取り込まれた画像をウインドウと呼ばれる任意の範囲に表示することが行われている。その場合に、このように取り込まれた写真や動画等の画像は、文字や数字等の情報に比べてコントラストやシャープネスが低く、これらを一緒に表示した場合には、写真や動画等の画質が著しく劣化したものに見えてしまう。
【０００４】
ところで通常のテレビジョン受像機においては、従来から輝度レベルを増強してコントラストを強めたり、輪郭強調によってシャープネスを高めるなどの画質改善の手段が講じられる。ところがモニタディスプレイ装置において、文字や数字等の情報の輝度レベルを増強してコントラストを強めたり、輪郭強調によってシャープネスを高めると、却ってこれらの文字や数字等の情報が見づらくなったり、読みづらくなってしまうものである。
【０００５】
この問題点を解決するために、本出願人は先に表示装置で表示される画面中の一部の範囲の画像に対して、コントラストの強調などが行えるようにしたものを提案した（特願平１０−８８９５８号など）。図６は、この先に提案した画像表示装置におけるコントラストのコントロール例を示したものである。縦軸は映像信号の振幅を示し、横軸はコントラストの調整値を示したもので、ここでは調整値０から調整値２５５までの２５６段階の設定が可能である例としてある。図６において、実線で示した映像信号の振幅の設定範囲ａ′〜ｂ′は、コントラストを強調しない領域（通常の表示状態の領域）でのコントラストの設定範囲である。そして、コントラストを強調する範囲内では、それぞれの映像信号振幅に、一定の値ｃ′を加算した破線で示す映像信号の振幅の設定範囲（ａ′＋ｃ′）〜（ｂ′＋ｃ′）となる。
【０００６】
また、図７は先に提案した画像表示装置におけるブライトネスのコントロール例を示したものである。この例でも、調整値０から調整値２５５までの２５６段階の設定が可能である例としてあり、例えばコントラストの調整値を最大値ｍａｘに設定したとき、通常の表示状態の領域では実線で示すように、ブライトネスのコントロールによる映像信号の振幅はｅ′〜ｆ′の間の変化（図示のように或る調整値まで一定の比率での変化）となり、コントラストを強調する範囲内では、一定の値ｈ′を加算した破線で示す振幅（ｅ′＋ｈ′）〜（ｆ′＋ｈ′）となる。そして、コントラストの調整値を最低値ｍｉｎに設定したとき、通常の表示状態の領域では実線で示すように、ブライトネスのコントロールによる映像信号の振幅はｇ′となり、コントラストを強調する範囲内では、一定の値ｈ′を加算した破線で示す振幅（ｇ′＋ｈ′）となる。
【０００７】
【発明が解決しようとする課題】
このように先に提案した画像表示装置における調整では、コントラストを強調する範囲内で、単純にある一定の値だけ高く設定するか、或いはある一定の比率だけ高く設定するような処理であったため、先に提案した画像表示処理を行っても、文字と画像などが混在した映像を最適に表示させているとは言えない場合があった。
【０００８】
例えば、コンピュータ装置用のディスプレイ装置では、例えば表計算ソフトウェア等を使用して表示を行う場合に、ユーザがコントラストをかなり低下させて使用して、表や文字が見やすい状態に表示されるように設定することが多々ある。このような場合において、映像中の一部に動画などの画像を表示させたとき、この画像の表示範囲のコントラストを強調するように設定した場合でも、依然として動画表示用としてはコントラストが低い状態となり、コントラスト強調機能が効力を発揮できない状態になってしまう。
【０００９】
このような状態を回避するためには、表示映像の種類が変わる毎に、コントラストの設定をしなければならず、設定操作に手間がかかる問題がある。
【００１０】
本発明の目的は、静止画像や動画像などの画像と文字情報などのような異なる表示形態の映像が混在する場合に、それぞれの映像を最適な形態で表示させることにある。
【００１１】
【課題を解決するための手段】
本発明は、入力された映像信号に基づく画像に対して、映像信号の振幅の増幅度合いを規定するコントラスト比制御処理を施して表示する表示装置において、画像処理状態に関する第１及び第２の設定値をそれぞれ記憶する記憶部と、表示される画面の任意の範囲を指定する制御信号を検出する制御信号検出部と、制御信号検出部が検出した制御信号で示される範囲の画像に対して記憶部に記憶された第１の設定値によるコントラスト比制御処理を施し、制御信号で示される範囲外の画像に対して記憶部に記憶された第２の設定値によるコントラスト比制御処理を施すよう制御する画像制御部とを備え、記憶部に記憶された第２の設定値は、ユーザ操作に応じた調整値の増加にほぼ比例して増加する設定値とされ、記憶部に記憶された第１の設定値は、ユーザ操作に応じた調整値の増加にほぼ比例して増加する設定値であって、比例の割合が第２の設定値の比例の割合よりも小さいとされるとともに、第２の設定値よりも常に大きく、かつユーザ操作に応じた調整値が小さいときに第２の設定値よりも十分大きいとされるものである。
【００１２】
かかる構成としたことで、制御信号で指定された任意の範囲の画像に対しての画像処理が、記憶部に記憶された第１の設定値に基づいて任意の状態に設定できると共に、その制御信号で指示された範囲外の画像に対しての画像処理についても、記憶部に記憶された第２の設定値に基づいて任意の状態に設定できる。
【００１３】
【発明の実施の形態】
以下、本発明の一実施の形態を、図１〜図５を参照して説明する。
【００１４】
本実施の形態においては、パーソナルコンピュータ装置と称される情報処理機器であるコンピュータ機器において、表示手段を構成するディスプレイ装置での表示処理に適用したものである。
【００１５】
まず、本実施の形態のディスプレイ装置に供給される映像信号について説明すると、本実施の形態の場合には、ディスプレイ装置に供給される映像信号に所定の制御信号が重畳されて、その制御信号により映像中の任意の範囲が指定されるようにしてある。ここでは、この制御信号をマーカー信号と称する。マーカー信号は、例えば１水平ラインの所定区間を使用して、所定のレベルの原色信号を所定のパターンで組み合わせて生成させた信号である。本例においては、このマーカー信号の挿入処理として、静止画像又は動画像を表示させる画像表示ウィンドウ枠を設定したときに、その画像表示ウィンドウ枠の４隅に挿入させるようにしてある。
【００１６】
即ち、例えばディスプレイ装置に供給される映像信号により、そのディスプレイ装置の表示部に表示させた画面１００が図２に示す状態であるとき、その画面１００内の所定位置に、静止画像又は動画像を表示させる画像表示ウィンドウ枠１０１を設定し、その画像表示ウィンドウ枠１０１に、所定の静止画像又は動画像が配置されている状態であるとする。このとき、画像表示ウィンドウ枠１０１の中の４隅になる位置の映像信号の水平ラインに、マーカー信号１０２ａ，１０２ｂ，１０２ｃ，１０２ｄを配置する。
【００１７】
図３は、各マーカー信号１０２ａ，１０２ｂ，１０２ｃ，１０２ｄの一例を示したもので、ここでは赤信号Ｒ，緑信号Ｇ，青信号Ｂを、図３の(a),(b),(c) に示すレベルの信号として、図３の(d) に示すように、１水平ライン内の所定区間で「赤，マゼンタ，緑，シアン，黄，白，黄，白」の順序で色が変化する信号とする。この色の変化は、例えば映像信号の生成処理に使用されるクロックに同期した周期で変化するようにする。なお、ここではマーカー信号として１つの例を示したが、４隅のマーカー信号１０２ａ，１０２ｂ，１０２ｃ，１０２ｄは、それぞれ別のパターンのマーカー信号で構成しても良い。
【００１８】
次に、このようにマーカー信号が挿入された映像信号の受像処理を行う本実施の形態におけるディスプレイ装置の構成を、図１を参照して説明する。入力端子１Ｒ，１Ｇ，１Ｂには、コンピュータ装置本体側の映像出力部（図示せず）からの映像信号（赤信号Ｒ，緑信号Ｇ，青信号Ｂ）が供給される。この入力端子１Ｒ，１Ｇ，１Ｂに供給される映像信号Ｒ，Ｇ，Ｂは、それぞれコンデンサ２Ｒ，２Ｇ，２Ｂを通じてプリアンプＩＣ３に供給される。このプリアンプＩＣ３は、画質改善のための画像処理を行う回路が内蔵されて、外部からの制御信号に対応した制御処理が行われる。ここでは、プリアンプＩＣ３内の回路として、コントラスト調整などを行うために、映像信号レベルを変化させる処理が行われる増幅器３Ｒ，３Ｇ，３Ｂを示してある。
【００１９】
このプリアンプＩＣ３から取り出される映像信号（Ｒ／Ｇ／Ｂ）が、出力アンプ４にてさらに増幅された後、コンデンサ５Ｒ，５Ｇ，５Ｂを通じて取り出される。さらにこれらの取り出された映像信号（Ｒ／Ｇ／Ｂ）が、カットオフ調整アンプ６にてＤＣ電圧変換が行われた上で、表示手段であるところの例えば陰極線管（以下、ＣＲＴと称する）７に供給され、ＣＲＴ７の管面上に後述する画質改善された映像信号（Ｒ／Ｇ／Ｂ）による画像が表示される。
【００２０】
またこの装置内に存在し、且つ各種機能のコントロールを行うマイクロコンピュータ４０の制御でデータの記憶，読出しが行われる２個のメモリ２１Ａ及び２１Ｂが用意され、メモリ２１Ａには第１の範囲（マーカー信号で指示された範囲外：コントラスト非強調部）の画像に施す画像処理の調整状態の値（ＤＣ電圧データ）が記憶され、メモリ２１Ｂには第２の範囲（マーカー信号で指示された範囲：コントラスト強調部）の画像に施す画像処理の調整状態の値（ＤＣ電圧データ）が記憶される。ここで、各メモリ２１Ａ，２１Ｂに記憶される調整状態の値は、マイクロコンピュータ４０内の中央処理ユニット（以下ＣＰＵと称する）４０２に接続されたメモリ４０３に記憶されたコントラスト比の調整電圧算出用のデータと、キー入力部４０４等からＣＰＵ４０２に供給される調整値とを使用して算出され、ＣＰＵ４０２の制御で各メモリ２１Ａ，２１Ｂに記憶される。
【００２１】
このコントラスト比の調整電圧算出用のデータとしては、コントラスト非強調部である第１の範囲用の調整電圧算出のためのデータは、このディスプレイ装置の製造時に設定されてメモリ４０３に記憶されたデータである。また、コントラスト強調部である第２の範囲用の調整電圧算出のためのデータは、初期値についてはディスプレイ装置の製造時に設定されてメモリ４０３に記憶されたデータであるが、キー入力部４０４等からユーザ操作により入力したデータ（或いは接続されたコンピュータ装置本体側から伝送されて入力したデータ）により、更新可能としてある。
【００２２】
ＤＣ電圧データを記憶する２つのメモリ２１Ａ，２１Ｂは、１個のメモリの記憶エリアを２つに分けて使用しても良い。また、調整電圧算出用のデータなどを記憶するメモリ４０３と共用化しても良い。
【００２３】
各メモリ２１Ａ，２１Ｂから読出されたコントラスト調整に関するＤＣ電圧のデータは、それぞれのメモリ２１Ａ，２１Ｂに接続されたＤ／Ａ変換（以下、ＤＡＣと称する）回路２２Ａ及び２２Ｂに供給されて、それぞれ制御ＤＣ電圧に変換される。
【００２４】
そしてこれらのＤＡＣ回路２２Ａ及び２２Ｂで変換された制御ＤＣ電圧が、スイッチ回路２３で選択されて、上述のプリアンプＩＣ３に供給される。これによりプリアンプＩＣ３では、供給された制御ＤＣ電圧に従って、増幅器３Ｒ，３Ｇ，３Ｂが制御されて、コントラスト比の調整が行われる。
【００２５】
また本例においては、映像信号（Ｒ／Ｇ／Ｂ）の他に水平，垂直の同期信号をコンピュータ装置本体側から入力端子１１Ｈ，１１Ｖに供給するようにしてあり、入力端子１１Ｈから水平同期信号がＰＬＬ回路１２に供給され、このＰＬＬ回路１２に発振器１３からの発振信号が供給されて、水平同期信号に同期した任意のクロック信号が形成される。このクロック信号が水平カウンタ１４Ｈの計数端子に供給され、また水平同期信号、若しくは水平同期信号に同期している信号がリセット端子に供給される。これによってこの水平カウンタ１４Ｈからは、表示画面上の水平の位置に相当する計数値が取り出される。
【００２６】
また水平同期信号が垂直カウンタ１４Ｖの計数端子に供給され、入力端子１１Ｖからの垂直同期信号、若しくは垂直同期信号に同期している信号がリセット端子に供給される。これによってこの垂直カウンタ１４Ｖからは、表示画面上の垂直の位置に相当する計数値が取り出される。そしてこれらの水平カウンタ１４Ｈ及び垂直カウンタ１４Ｖの計数値がそれぞれラッチ回路１５Ａ，１５Ｂ及び１６Ａ，１６Ｂに供給される。
【００２７】
さらに上述の入力端子１Ｒ，１Ｇからの映像信号がアンプ８Ｒ，８Ｇを通じてシフトレジスタ９Ｒ，９Ｇの入力端子に供給されると共に、入力端子１Ｂからの映像信号がコンパレータ８Ｂを通じてシフトレジスタ９Ｒ，９Ｇのクロック端子に供給される。そしてこれらのシフトレジスタ９Ｒ，９Ｇに蓄積された信号が比較器１０Ｃに供給されて、例えばメモリ１０Ｍに記憶された信号パターンと比較される。ここでメモリ１０Ｍには、マーカー信号として予め設定されたパターン（例えば図３に示すレベルのパターン）のデータが記憶されてあり、比較器１０Ｃでの比較でマーカー信号が検出される。
【００２８】
そしてこの比較器１０Ｃで検出された信号パターンの検出信号が、ラッチ回路１５Ａ，１６Ａ及び１５Ｂ，１６Ｂのトリガ端子に供給される。これによってラッチ回路１５Ａ，１５Ｂには、例えばマーカー信号パターン１０２ａ又は１０２ｃの表示画面上の水平位置に相当する計数値がラッチされる。またラッチ回路１５Ｂには、例えばマーカー信号パターン１０２ｂ又は１０２ｄの表示画面上の水平位置に相当する計数値がラッチされる。
【００２９】
さらにラッチ回路１６Ａ，１６Ｂには、例えばマーカー信号パターン１０２ａ又は１０２ｂ表示画面上の垂直位置に相当する計数値がラッチされる。またラッチ回路１６Ｂには、例えばマーカー信号パターン１０２ｃ又は１０２ｄの表示画面上の垂直位置に相当する計数値がラッチされる。
【００３０】
そこでこれらのラッチ回路１５Ａ，１５Ｂ及び１６Ａ，１６Ｂにラッチされた信号が、それぞれ比較器１７Ａ，１７Ｂ及び１８Ａ，１８Ｂに供給されると共に、上述の水平カウンタ１４Ｈ及び垂直カウンタ１４Ｖの計数値が、それぞれ比較器１７Ａ，１７Ｂ及び１８Ａ，１８Ｂに供給される。なお、ラッチ回路１５Ａの出力については、マーカー信号の長さに相当する分水平方向の前側にタイミングをシフトさせる減算器２４を介して比較器１７Ａに供給する。減算器２４は、マイクロコンピュータ４０により減算値が制御される。
【００３１】
これによって比較器１７Ａからは、水平カウンタ１４Ｈの計数値がラッチ回路１５Ａにラッチされたマーカー信号パターン１０２ａ又は１０２ｃの水平位置の計数値に一致したときに信号が取り出される。また比較器１７Ｂからは、水平カウンタ１４Ｈの計数値がラッチ回路１５Ｂにラッチされたマーカー信号パターン１０２ｂ又は１０２ｄの水平位置の計数値に一致したときに信号が取り出される。
【００３２】
さらに比較器１８Ａからは、垂直カウンタ１４Ｖの計数値がラッチ回路１６Ａにラッチされたマーカー信号パターン１０２ａ又は１０２ｂの垂直位置の計数値に一致したときに信号が取り出される。また比較器１８Ｂからは、垂直カウンタ１４Ｖの計数値がラッチ回路１６Ｂにラッチされたマーカー信号パターン１０２ｃ又は１０２ｄの垂直位置の計数値に一致したときに信号が取り出される。
【００３３】
そしてこれらの比較器１７Ａ及び１７Ａからの信号がフリップフロップ１９Ｈのセット及びリセット端子に供給されることによって、画像表示ウィンドウ枠１０１の水平方向の幅に相当するパルス信号が取り出される。また比較器１８Ａ及び１８Ａからの信号がフリップフロップ１９Ｖのセット及びリセット端子に供給されることによって、画像表示ウィンドウ枠１０１の垂直方向の幅に相当するパルス信号が取り出される。
【００３４】
さらにこれらのフリップフロップ１９Ｈ及び１９Ｖからの信号が掛け算器２０で合成されることによって、画像表示ウィンドウ枠１０１内の区間に対する制御信号が形成される。そしてこの制御信号がスイッチ回路２３に供給され、ＤＡＣ回路２２Ａ又は２２Ｂで変換された制御ＤＣ電圧の選択が行なわれることによって、上述のＣＲＴ７に表示される画像の中で、掛け算器２０からの制御信号によって指定された任意の領域の画像のコントラスト比が変化する。
【００３５】
なお、減算器２４での減算により、マーカー信号の長さに相当する分、タイミングをシフトさせる処理としては、例えば上述した入力端子１１Ｈ，１１Ｖに供給される水平・垂直の同期信号がマイクロコンピュータ４０に内蔵されるタイマ４０１に供給されて水平及び垂直の同期信号周波数が計測される。そして、この計測された同期信号周波数がＣＰＵ４０２に供給されて、例えばＣＰＵ４０２に接続されたメモリ４０３に記憶されたデータからマーカー信号を構成する信号パターンの時間長が求められる。この求められた時間長に相当する水平クロック信号の計数値がＣＰＵ４０２で計算され、その計算値がマイクロコンピュータ４０から減算器２４に供給され、ラッチ回路１５Ａに記憶されたマーカー信号の位置を、水平方向の前側に求められた時間長分シフトすることができる。
【００３６】
次に、本実施の形態でのコントラスト比のコントロール状態の例について説明する。図４は、本実施の形態でのコントラスト比のコントロール状態の一例を示した図で、縦軸は映像信号の振幅を示し、横軸はコントラストの調整値を示したもので、ここでは調整値０から調整値２５５までの２５６段階の設定が可能である例としてある。図４において、実線で示した映像信号の振幅の設定範囲ａ〜ｂは、コントラスト非強調部である第１の範囲でのコントロール状態である。また、破線で示した映像信号の振幅の設定範囲ｃ〜ｄは、コントラスト強調部である第２の範囲でのコントロール状態である。
【００３７】
第１の範囲（コントラスト非強調部）での範囲ａ〜ｂのコントロール状態は、製品の製造時の調整で設定されたデータに基づいた演算処理で設定されるもので、ここでは所定の傾斜の直線によるコントロール状態となって、映像信号の振幅が比較的小さくなるようにしてあると共に、調整値の値により比較的振幅の変化範囲を大きくしてある。
【００３８】
マーカー信号で指示された範囲内である第２の範囲（コントラスト強調部）での範囲ｃ〜ｄのコントロール状態は、製品の製造時の調整で設定されたデータ又はユーザ操作により更新されたデータに基づいた演算処理で設定されるもので、所定の傾斜（第１の範囲での傾斜とは無関係な傾斜：ここでは第１の範囲の場合よりも緩やかな傾斜）の直線によるコントロール状態となって、映像信号の振幅が比較的大きくなるようにしてあると共に、調整値の値により振幅の変化範囲を小さくしてある。
【００３９】
この第２の範囲でのコントロール状態のｃ−ｄ間の直線については、キー入力部４０４によるユーザ操作などに基づいて、その傾斜や振幅位置などが調整可能としてあり、任意の調整状態を設定することができる。この場合、調整値と振幅との対応が図４に示すような直線的な対応関係ではないように設定できるようにしても良い。
【００４０】
ここでは、コントラスト比のコントロールについて説明したが、ブライトネスの制御に応じてコントラスト比のコントロール状態を変化させる場合においては、例えば図５に示す状態に設定する。図５は、本実施の形態でのブライトネスの制御に応じたコントラスト比のコントロール状態の一例を示した図で、縦軸は映像信号の振幅を示し、横軸はブライトネスの調整値を示したもので、ここでは調整値０から調整値２５５までの２５６段階の設定が可能である例としてある。図５において、コントラスト調整が最大状態ｍａｘにおける第１の範囲（コントラスト非強調部）でのコントロール状態は、実線で示した映像信号の振幅の設定範囲ｅ〜ｆとなり、コントラスト調整が最大状態ｍａｘにおける第２の範囲（コントラスト強調部）でのコントロール状態は、コントラスト非強調部での振幅値に一定値ｈを加算した状態となり、破線で示した映像信号の振幅の設定範囲（ｅ＋ｈ）〜（ｆ＋ｈ）となる。なお、ここでの振幅の設定範囲ｅ〜ｆ及び（ｅ＋ｈ）〜（ｆ＋ｈ）としては、ブライトネスの調整値が０からｘ（ｘは０と２５５の間の任意の数）までは、振幅値が一定となるようにしてあり、調整値ｘから２５５までの間で、所定の傾斜の直線で振幅値が変化するようにしてある。
【００４１】
そして、コントラスト調整が最小状態ｍｉｎにおける第１の範囲（コントラスト非強調部）でのコントロール状態は、実線で示す振幅値ｇで一定である。また、コントラスト調整が最小状態ｍｉｎにおける第２の範囲（コントラスト強調部）でのコントロール状態は、コントラスト調整が最大状態ｍａｘでのコントラスト非強調部での振幅値に一定値ｉを減算した状態となり、破線で示した映像信号の振幅の設定範囲（ｅ−ｉ）〜（ｆ−ｉ）となる。この範囲（ｅ−ｉ）〜（ｆ−ｉ）についても、ブライトネスの調整値が０からｘ（ｘは０と２５５の間の任意の数）までは、振幅値が一定となるようにしてあり、調整値ｘから２５５までの間で、所定の傾斜の直線で振幅値が変化するようにしてある。
【００４２】
そして、コントラスト比の調整値が最大状態ｍａｘと最小状態ｍｉｎとの間の値をとったとき、そのときの調整値に応じて、図５に示した最大状態と最小状態の振幅値の間の振幅値に制御される。
【００４３】
このように本実施の形態のディスプレイ装置によると、自動的に画像表示ウィンドウ枠内などのマーカー信号で指定された範囲内の画像に対してだけ、画像用に適した所定のコントラスト比の画像処理が行われ、その範囲外の画像に対しては、別のコントラスト比の画像処理が行われ、例えば動画や静止画のような画像と、文字，数字，表，図形などのコンピュータ処理などで生成された画像とが、１画面内に混在するような場合でも、それぞれの画像を良好なコントラスト比で良好に表示させることができる。
【００４４】
特に本実施の形態の場合には、マーカー信号で指定された範囲内の画像に施される画像処理状態と、マーカー信号で指定された範囲外の画像に施される画像処理状態とが、それぞれ別のメモリ２１Ａ，２１Ｂに個別の生成処理で生成されて記憶された制御データ（ＤＣ電圧データ）に基づいて実行されるので、それぞれの範囲での画像処理を、それぞれの範囲の画像に最適な処理状態に調整することが容易にできる。例えば、マーカー信号で指定された範囲内では、動画などに適した比較的振幅の高い映像信号による鮮明な画像を表示させて、その範囲外では、文字表示などに適した比較的振幅の低い映像信号による見やすい画像を表示させるような処理が可能になる。
【００４５】
また、本実施の形態の場合には、コントラストを強調する部分に関しては、キー入力部のユーザ操作などに基づいて、コントラストの調整状態の設定データを更新できるようにしたことで、ユーザ操作などでそのときに表示される画像に適した任意の調整状態を選択することができる。また、コントラストの非強調部に関しては、コントラストの調整状態を生成させるデータを、ユーザ操作によっては更新できない構成としてあるので、例えば文字，数字，図形などが表示される部分が、誤ったユーザ操作などで、強いコントラストの画像になることがなく、見にくい画像になることを効果的に防止できる。但し、コントラストの非強調部に関しても、ある程度の範囲で（或いは全く制限がない状態で）コントラストの調整状態を生成させるデータを更新できるようにしても良い。
【００４６】
なお、図２に示した例では、マーカー信号として画像表示ウィンドウ枠１０１の４隅に配置するようにしたが、画像表示ウィンドウ枠の少なくとも２隅にマーカー信号を配置すれば、その範囲の指定は可能である。また、上述した例では、映像信号に重畳されたマーカー信号から、コントラストを強調する範囲を設定するようにしたが、マーカー信号などの範囲を指定する信号は、映像信号とは別の信号線で供給される信号であっても良い。
【００４７】
また、図２の例では１画面中に１つの画像表示ウィンドウ枠を設定した例について説明したが、１画面中に複数の画像表示ウィンドウ枠を設定して、それぞれの位置をマーカー信号で指示して、その指示されたそれぞれの領域に対して所定の画像処理を施すことを指示するようにしても良い。
【００４８】
また、ここまで説明した例では、１画面内の一部の範囲での画像処理の制御を行う場合について説明したが、マーカー信号を１画面の４隅又は２隅に配置して、１画面全体での画像処理状態を制御するようにしても良い。このようにすることで、例えばディスプレイ装置に供給される映像信号により表示される画像が、１画面全体が静止画像や動画像などの画像データによる画像であるとき、マーカー信号によりその画面全体をコントラスト強調させる指示を行うことで、その画像を良好に表示させることができる。そして、供給される映像信号により表示される画像が、文字データによる映像などに切換わった場合には、映像信号を生成させる側でマーカー信号の挿入処理を停止させることで、文字表示などに適した画像処理状態に戻り、文字表示などを良好に行う制御もできる。
【００４９】
なお、上述した実施の形態では、陰極線管で表示される画像のコントラスト比のコントロール、或いはブライトネスコントロールに連動したコントラスト比のコントロールについて説明したが、陰極線管又はその他の表示手段での各種画像表示状態のコントロールにも適用できるものである。
【００５０】
また、ここまで説明した実施の形態では、コンピュータ装置に接続されたディスプレイ装置での表示状態について説明したが、コンピュータ装置用ディスプレイ以外の表示手段での表示処理にも適用できることは勿論である。例えば、テレビジョン受像機において画像表示と文字表示とを混在させる場合に、文字表示が行われる範囲を、マーカー信号により指定して、その範囲内で、文字表示に適した画像処理が行われるようにしても良い。
【００５１】
【発明の効果】
本発明によると、制御信号で指定された任意の範囲の画像に対してのコントラスト比制御処理が、記憶部に記憶された第１の設定値に基づいて任意の状態に設定できると共に、その制御信号で指示された範囲外の画像に対しての画像処理についても、記憶部に記憶された第２の設定値に基づいて任意の状態に設定でき、それぞれの範囲の画像処理が、それぞれ個別に最適な状態に設定できる。従って、例えば静止画像や動画像などの画像表示範囲と、文字情報の表示範囲とが１画面内に混在した映像を表示させる場合に、画像表示範囲に適した画像処理状態と、文字情報の表示範囲に適した画像処理状態とが、それぞれ最適な状態に設定できる。
【００５２】
また本発明によると、画像処理状態の設定値を算出するデータの入力部を備え、記憶部に記憶された第１の設定値は、入力部に入力したデータによる算出で生成され、記憶部に記憶された第２の設定値は、予め設定されたデータに基づいた演算処理で生成される構成としたことで、例えば静止画像や動画像などの画像表示範囲での設定状態だけをユーザの入力操作により更新できるようにし、文字情報などが表示されるその他の部分の調整状態はユーザの入力操作によっては更新不可能とすることができ、ユーザ操作により設定可能な調整状態の範囲を良好に定めることが可能になる。
【図面の簡単な説明】
【図１】本発明の一実施の形態による構成の例を示すブロック図である。
【図２】本発明の一実施の形態による表示状態の例を示す説明図である。
【図３】本発明の一実施の形態によるマーカー信号の例を示す説明図である。
【図４】本発明の一実施の形態によるコントラストのコントロール例を示す説明図である。
【図５】本発明の一実施の形態によるブライトネスのコントロール例を示す説明図である。
【図６】先に提案した装置によるコントラストのコントロール例を示す説明図である。
【図７】先に提案した装置によるブライトネスのコントロール例を示す説明図である。
【符号の説明】
３…プリアンプ部、１０Ｃ…比較器、１０Ｍ…マーカー信号記憶用メモリ、２１Ａ，２１Ｂ…調整値記憶用メモリ、２２Ａ，２２Ｂ…デジタル／アナログ変換器、２３…スイッチ、４０…マイクロコンピュータ、４０２…中央処理ユニット（ＣＰＵ）、４０３…メモリ、４０４…キー入力部
【図１】
0003994519.tif 000002
【図２】
0003994519.tif 000003
【図３】
0003994519.tif 000004
【図４】
0003994519.tif 000005
【図５】
0003994519.tif 000006
【図６】
0003994519.tif 000007
【図７】
0003994519.tif 000008